(57)【要約】【課題】電線端子を正規の位置に位置決めする。【解決手段】本明細書によって開示されるバッテリ端子１１は、バッテリ本体Ｂ１に設けられたバッテリポストＢ２に接続固定され、電線端子７０がボルト接続されるバッテリ端子１１であって、電線端子７０が載置されてボルト接続される端子接続部２２の前方にバッテリポストに嵌合されるポスト嵌合部２１が設けられた端子本体２０と、端子接続部２２に固定され、端子接続部２２が正規の位置から位置ずれすることを防ぐ位置決め部４１が設けられた回動抑制部材４０と、ポスト嵌合部２１をバッテリポストＢ２に密着させる締付ボルト６１および締付ナット６５と、電線端子７０の側方に設けられ、電線端子７０を端子接続部２２にボルト接続する際に、電線端子７０に当接する連れ回り抑制部４７とを備えるところに特徴を有する。【選択図】図６
2016004660.tif 000002
【特許請求の範囲】
【請求項１】
バッテリのバッテリ本体に設けられたバッテリポストに接続固定され、電線の端末に接続された電線端子がボルト接続されるバッテリ端子であって、
前記電線端子が載置されてボルト接続される端子接続部の一端に前記バッテリポストに嵌合されるポスト嵌合部が設けられ、他端に前記バッテリ本体に当接することで前記端子接続部が前記バッテリポストを中心に回動変位して正規の位置から位置ずれすることを防ぐ位置決め部が設けられたバッテリ端子本体と、
前記ポスト嵌合部に組み付けられ、同ポスト嵌合部を挟み付けて前記バッテリポストに密着させる締付部材と、
前記端子接続部に載置された前記電線端子の側方に前記バッテリ端子本体から突出して設けられ、前記電線端子を前記端子接続部にボルト接続する際に、前記電線端子に当接することで同電線端子がボルト接続される位置を中心に回動変位することを抑制する連れ回り抑制部とを備えるバッテリ端子。
【請求項２】
前記端子接続部は、前記電線端子が載置される載置面を有する金属製の取付台を有し、
前記位置決め部は、前記取付台に固定される合成樹脂からなる別体の回動抑制部材に設けられており、
前記連れ回り抑制部は、前記取付台の前記載置面よりも前記電線端子側に突出した形態で前記回動抑制部材に設けられている請求項１に記載のバッテリ端子。
【請求項３】
請求項１または請求項２に記載のバッテリ端子と、前記電線端子と、前記バッテリ端子および前記電線端子を覆う覆い部を有する端子カバーとを備えたバッテリ端子ユニットであって、
前記電線端子は、前記端子接続部にボルト接続されるボルト接続部と、前記電線に接続される電線接続部と、前記ボルト接続部と前記電線接続部とを前後に繋ぐ繋ぎ部とを有しており、
前記覆い部には、前記繋ぎ部の延び方向と直交する左右方向の両側縁と係止する一対の係止片が設けられているバッテリ端子ユニット。
【請求項４】
前記締付部材は、前記ポスト嵌合部に挿通される締付ボルトと、前記締付ボルトに締め込むことで前記ポスト嵌合部を前記締付ボルトと共に左右両側から挟み込む締付ナットとを有し、
前記端子カバーは、前記ポスト嵌合部から前記電線端子までを覆う前後に長く幅狭なフード状の覆い部を有しており、
前記覆い部には、前記締付ナットを締め込んだ際に、前記ポスト嵌合部から左右方向に突出する前記締付ボルトを逃がす逃がし孔が設けられている請求項３に記載のバッテリ端子ユニット。
【請求項５】
前記逃がし孔は、前記覆い部の左右方向両側にそれぞれ設けられている請求項４に記載のバッテリ端子ユニット。
【請求項６】
前記端子カバーは、前記係止片と前記電線端子とが係止する位置を支点に、前記覆い部の前端部を持ち上げることで取り外し可能とされており、
前記覆い部の前端には、指や治具を引っ掛け可能な引っ掛け孔が形成されている請求項３から請求項５のいずれか一項に記載のバッテリ端子ユニット。
【請求項７】
前記覆い部の後端内面と前記電線端子との間には、前記係止片と前記電線端子とが係止する位置よりも後方に位置する前記覆い部の後部を押圧した際に、前記覆い部が進入する進入空間が形成されている請求項６記載のバッテリ端子ユニット。
【発明の詳細な説明】
【技術分野】
【０００１】
本明細書によって開示される技術は、バッテリ端子およびバッテリ端子ユニットに関する。
【背景技術】
【０００２】
例えば、車両に搭載されるバッテリのバッテリ本体に設けられたバッテリポストに接続固定されるバッテリ端子として、特開２０１０−４０２５８号公報（下記特許文献１）に記載のものが知られている。このバッテリ端子は、電線に接続された電線端子がボルト接続される端子接続部の前方にバッテリポストに嵌合されるポスト嵌合部が設けられた端子本体と、ポスト嵌合部の前端部に組み付けられ、同ポスト嵌合部を挟み付けることでポスト嵌合部をバッテリポストに密着させるボルトおよびナットと、端子本体に圧入固定される回動規制部材とを備えて構成されている。
【０００３】
回動規制部材は、バッテリポストにポスト嵌合部を嵌合させた際に、バッテリ本体の側面に近接して配されるようになっており、回動規制部材がバッテリ本体の側面に当接することで、端子本体がバッテリポストを中心に回動変位することを防ぎ、バッテリ本体に対して端子本体を位置決めする。
【先行技術文献】
【特許文献】
【０００４】
【特許文献１】特開２０１０−４０２５８号公報
【発明の概要】
【発明が解決しようとする課題】
【０００５】
ところで、上記の構成によると、バッテリ本体に対して端子本体を位置決めすることで、ボルトとナットによってポスト嵌合部をバッテリポストに密着させる作業スペースを確保できる。しかしながら、電線端子のボルト挿通孔に端子接続部に設けられたスタッドボルトを挿通し、ナットを締め付けて電線端子を端子接続部にボルト接続する際に、ナットの回転に伴って電源側端子が連れ回りして位置ずれしてしまう虞があり、電線端子が位置ずれすると、電線端子に接続された電線が正規の方向とは異なる方向に引き出されてしまう。
また、例えば、電線端子にバッテリ端子を保護する端子カバーを固定する場合には、電線端子が位置ずれすることに伴って端子カバーも正規の位置に設置することができず、端子カバーによってバッテリ端子を保護することができなくなってしまう。
【０００６】
本明細書では、電線端子を正規の位置に位置決めする技術を開示する。
【課題を解決するための手段】
【０００７】
本明細書によって開示される技術は、バッテリのバッテリ本体に設けられたバッテリポストに接続固定され、電線の端末に接続された電線端子がボルト接続されるバッテリ端子であって、前記電線端子が載置されてボルト接続される端子接続部の一端に前記バッテリポストに嵌合されるポスト嵌合部が設けられ、他端に前記バッテリ本体に当接することで前記端子接続部が前記バッテリポストを中心に回動変位して正規の位置から位置ずれすることを防ぐ位置決め部が設けられたバッテリ端子本体と、前記ポスト嵌合部に組み付けられ、同ポスト嵌合部を挟み付けて前記バッテリポストに密着させる締付部材と、前記端子接続部に載置された前記電線端子の側方に前記バッテリ端子本体から立ち上がった形態で設けられ、前記電線端子を前記端子接続部にボルト接続する際に、前記電線端子に当接することで同電線端子がボルト接続される位置を中心に回動変位することを抑制する連れ回り抑制部とを備えるところに特徴を有する。
【０００８】
このような構成のバッテリ端子によると、バッテリ端子が正規の位置から位置ずれすることを位置決め部によって防ぐことができる。また、電線端子がスタッドボルトを中心に回動変位することを連れ回り抑制部によって抑制することができる。つまり、正規の位置に位置決めされたバッテリ端子本体の端子接続部に接続される電線端子の回動が抑制され、電線端子を正規の位置に位置決めすることができるから、電線端子に接続された電線が正規とは異なる方向に引き出されることを防ぐことができる。
【０００９】
本明細書によって開示される技術の態様として、以下の構成が好ましい。
前記端子接続部は、前記電線端子が載置される載置面を有する金属製の取付台を有し、前記位置決め部は、前記取付台に固定される合成樹脂からなる別体の回動抑制部材に設けられており、前記連れ回り抑制部は、前記取付台の前記載置面よりも前記電線端子側に突出した形態で前記回動抑制部材に設けられている構成としてもよい。
【００１０】
例えば、金属製の取付台から突出する連れ回り抑制部を曲げ加工して形成したり、電線端子から突出する係止片を曲げ加工して設け、この係止片をバッテリ端子に係止させたりする方法が考えられるが、このような構成によると、取付台に連れ回り抑制部や電線端子に係止片を別途形成するために曲げ工程などが必要となり、作業工数が増加してしまうことが懸念される。ところが、上記の構成によると、回動抑制部材を樹脂成形する際に、連れ回り抑制部を同時に形成することができるから、作業工数を増加させることなく連れ回り抑制部を設けることができる。
【００１１】
前記バッテリ端子と、前記電線端子と、前記バッテリ端子および前記電線端子を覆う覆い部を有する端子カバーとを備えたバッテリ端子ユニットであって、前記電線端子は、前記端子接続部にボルト接続されるボルト接続部と、前記電線に接続される電線接続部と、前記ボルト接続部と前記電線接続部とを前後に繋ぐ繋ぎ部とを有しており、前記覆い部には、前記繋ぎ部の延び方向と直交する左右方向の両側縁と係止する一対の係止片が設けられている構成としてもよい。
このような構成によると、正規の位置に位置決めされた電線端子に固定することで端子カバーを正規の位置に組み付けることができるから、電線端子に端子カバーを固定する場合に、有効である。
【００１２】
ところで、例えば、バッテリ端子の左右方向の両側縁に一対の係止片を係止させることで、電線端子の位置ずれを気にすることなく、端子カバーによってバッテリ端子を覆う方法が考えられる。しかしながら、例えば、バッテリ端子の両側縁に端子カバーの一対の係止片を係止させる構成の場合、バッテリ端子に係止片を係止させる分だけ、端子カバーが大型化してしまう。
【００１３】
ところが、上記の構成によると、正規の位置に位置決めされた電線端子に端子カバーを係止させることができるから、例えば、端子カバーの係止片をバッテリ端子の左右方向の両側縁と係止させる場合に比べて、バッテリ端子ユニットが左右方向に大型化することを抑制することができる。また、端子カバーの係止片と係止する被係止部をバッテリ端子の回動抑制部材に別途設ける場合に比べて、バッテリ端子ユニットの製造コストを低減させることができる。
【００１４】
前記締付部材は、前記ポスト嵌合部に挿通される締付ボルトと、前記締付ボルトに締め込むことで前記ポスト嵌合部を前記締付ボルトと共に左右両側から挟み込む締付ナットとを有し、前記端子カバーは、前記ポスト嵌合部から前記電線端子までを覆う前後に長く幅狭なフード状の覆い部を有しており、前記覆い部には、前記締付ナットを締め込んだ際に、前記ポスト嵌合部から左右方向に突出する前記締付ボルトを逃がす逃がし孔が設けられている構成としてもよい。
【００１５】
電線端子の両側縁に端子カバーの係止片を係止させることで、端子カバーの左右方向の寸法の小型化を図ると、ポスト嵌合部から幅方向に突出する締付ボルトと覆い部とが干渉してしまう虞がある。ところが、上記のような構成にすると、逃がし孔において締付ボルトと覆い部とが干渉することを回避することができる。これにより、覆い部を有する端子カバー、ひいてはバッテリ端子ユニットをさらに小型化することができる。
【００１６】
前記逃がし孔は、前記覆い部の左右方向両側にそれぞれ設けられている構成にしてもよい。
このような構成によると、締付ボルトに対して締付ナットを締め付ける方向が左右のいずれの方向になっても覆い部と締付ボルトとが干渉することを防ぐことができる。
【００１７】
前記端子カバーは、前記係止片と前記電線端子とが係止する位置を支点に、前記覆い部の前端部を持ち上げることで取り外し可能とされており、前記覆い部の前端には、指や治具を引っ掛け可能な引っ掛け孔が形成されている構成としてもよい。
このような構成によると、例えば、覆い部から突出する引っ掛け部を設ける場合に比べて、覆い部を大型化することなく指や治具などを引っ掛け孔の上縁に引っ掛けて覆い部を容易に取り外すことができる。
【００１８】
前記覆い部の後端内面と前記電線端子との間には、前記係止片と前記電線端子とが係止する位置よりも後方に位置する前記覆い部の後部を押圧した際に、前記覆い部が進入する進入空間が形成されている構成としてもよい。
このような構成によると、覆い部の後部を押圧し、進入空間に覆い部が進入することで、覆い部の前端部を上方に変位させることができる。これにより、引っ掛け部に指や治具などを引っ掛けやすくすることができる。
【発明の効果】
【００１９】
本明細書によって開示される技術によれば、電線端子を正規の位置に位置決めすることができる。
【図面の簡単な説明】
【００２０】
【図１】バッテリにバッテリ端子ユニットを組み付けた状態を示す斜視図
【図２】同平面図
【図３】同側面図
【図４】同背面図
【図５】同底面図
【図６】バッテリにバッテリ端子ユニットを組み付けた状態を示す一部切欠断面図
【図７】バッテリポストに接続固定されたバッテリ端子に電線端子をボルト接続した状態を示す斜視図
【図８】同平面図
【図９】同側面図
【図１０】同背面図
【図１１】バッテリ端子の底面図
【図１２】図１１のＡ−Ａ線断面図
【図１３】端子本体に締付ボルトと締付ナットとを組み付けた状態を示す平面図
【図１４】同側面図
【図１５】同背面図
【図１６】回動抑制部材の正面図
【図１７】同平面図
【図１８】同側面図
【図１９】抜け止め片の正面図
【図２０】同平面図
【図２１】同側面図
【図２２】端子カバーの正面図
【図２３】同側面図
【図２４】同底面図
【図２５】図２２のＢ−Ｂ線断面図
【発明を実施するための形態】
【００２１】
＜実施形態＞
実施形態について図１から図２５を参照して説明する。
本実施形態は、図６に示すように、車両に搭載されるバッテリＢのバッテリ本体Ｂ１に設けられたバッテリポストＢ２に接続固定されると共に、電線Ｗの端末に接続されるバッテリ端子ユニット１０を例示している。なお、以下の説明において、上下方向とは図３および図１０における上下方向を基準とし、左右方向とは図４および図１０における左右方向を基準とする。また、前後方向とは図６および図９における左右方向を基準とし、バッテリポストＢ２に接続される側を前側とし、電線Ｗが接続される側を後側として説明する。
【００２２】
バッテリＢは、図７から図１０に示すように、バッテリ本体Ｂ１の端部に略円柱状のバッテリポストＢ２が立設されたポスト設置面Ｂ３を有している。このポスト設置面Ｂ３は、バッテリ本体Ｂ１の上面から一段下がった位置に設けられており、ポスト設置面Ｂ３は、前方および左方の二方をバッテリ本体Ｂ１によって囲まれている。
【００２３】
バッテリ端子ユニット１０は、図６に示すように、バッテリポストＢ２に接続固定されるバッテリ端子１１と、バッテリ端子１１にボルト接続される電線端子７０と、バッテリ端子１１と電線端子７０とを保護する端子カバー８０とを備えて構成されており、バッテリ端子１１は、バッテリポストＢ２に嵌合可能な金属製の端子本体２０と、端子本体２０の後端に固定された合成樹脂製の回動抑制部材４０と、端子本体２０を締め付けてバッテリポストＢ２に端子本体２０を密着させる締付部材６０とを有している。なお、端子本体２０の後端に回動抑制部材４０が固定されたものがバッテリ端子本体に相当する。
【００２４】
端子本体２０は、導電性に優れた金属板材にプレス加工などを施すことによって形成されている。端子本体２０は、図７から図９に示すように、電線端子７０がボルト接続される端子接続部２２の前端にバッテリポストＢ２に嵌合されるポスト嵌合部２１が一体に連設された形態をなしている。
【００２５】
ポスト嵌合部２１は、図７から図９、図１１および図１３に示すように、バッテリポストＢ２の外周面に接触可能な接触部２５と、接触部２５に設けられた一対の被締付片２６とを有している。
接触部２５は、図８および図１３に示すように、バッテリポストＢ２の外周面に沿う略円弧状に形成されている。接触部２５の内径は、図１１および図１３に示すように、バッテリポストＢ２の外径よりも僅かに大きく設定されており、接触部２５の内側にバッテリポストＢ２が下方から嵌合可能とされている。また、接触部２５は前方に開口しており、接触部２５の前端部は、隙間を隔てて左右に対向した形態とされている。
【００２６】
一対の被締付片２６は、接触部２５の前端部における左右両端の位置から左右に対向した形態で前方に延出されている。各被締付片２６には、図７に示すように、左右に貫通する貫通孔２６Ａが設けられており、これらの貫通孔２６Ａに締付部材６０が挿通されることで、一対の被締付片２６に締付部材６０が組み付けられている。
【００２７】
締付部材６０は、図７から図９、図１１および図１３に示すように、締付ボルト６１に締付ナット６５が組み付けられたものであって、締付ボルト６１は、４つの側面６２Ａを有する四角状の頭部６２から軸部６３が延出された一般的な構造である。締付ボルト６１の軸部６３は、一対の被締付片２６の貫通孔２６Ａに連続して挿通されており、図６および図１４に示すように、頭部６２の側面６２Ａが接触部２５の前端部に当接することで、締付ボルト６１が回り止めされている。そして、図７から図９に示すように、締付ボルト６１に対して締付ナット６５を締め付け、締付ボルト６１の頭部６２と締付ナット６５によって一対の被締付片２６を左右両側から挟み込むと、一対の被締付片２６の間隔が狭まって接触部２５が縮径される。これにより、接触部２５がバッテリポストＢ２の外周面に密着し、端子本体２０のポスト嵌合部２１がバッテリポストＢ２に接続固定されている。
【００２８】
端子接続部２２は、図１２から図１５に示すように、電線端子７０が載置される取付台２３にスタッドボルトＳＢが保持された形態をなしている。取付台２３は、金属板材を二つ折りにすることで扁平な箱形状に形成されており、図７から図９に示すように、取付台２３の上面である載置面２３Ａに電線端子７０が載置されるようになっている。
【００２９】
取付台２３の上板２３Ｕには、図１３に示すように、上下に貫通するボルト挿通孔２３Ｂが形成されており、このボルト挿通孔２３ＢにスタッドボルトＳＢの軸部ＳＢ１を挿通させ、図１５に示すように、取付台２３の下板２３Ｌと上板２３ＵとによってスタッドボルトＳＢの頭部ＳＢ２を上下から挟み込むことで、スタッドボルトＳＢが取付台２３によって回り止めされつつ上方に立ち上がった状態で保持されている。
【００３０】
電線端子７０は、図７から図９に示すように、左右方向よりも前後に長い形態とされており、取付台２３の載置面２３Ａにボルト接続される平板状のボルト接続部７１と、電線Ｗの端末に接続される電線接続部７２と、ボルト接続部７１と電線接続部７２とを前後に繋ぐ繋ぎ部７３とを備えて構成されている。
【００３１】
ボルト接続部７１には、図６および図９に示すように、上下方向に貫通するスタッドボルト挿通孔７１Ａが設けられており、このスタッドボルト挿通孔７１ＡにスタッドボルトＳＢを挿通し、スタッドボルトＳＢにナットＮを締め付けることでボルト接続部７１が取付台２３にボルト接続され、端子接続部２２と電線端子７０とが電気的に接続されている。
電線接続部７２は一対のバレル７４を有しており、一対のバレル７４が電線Ｗの端末において露出された図示しない芯線に圧着されることで、電線Ｗの端末に電線端子７０が接続されるようになっている。
【００３２】
繋ぎ部７３は、図６から図９に示すように、ボルト接続部７１の後端から真っ直ぐ後方延びた形態をなしている。繋ぎ部７３の後端部は、下方に屈曲されており、繋ぎ部７３の後端下縁に電線接続部７２が連設されている。このため、電線接続部７２に接続される電線Ｗは下方に引き出され後、後方に引き出されるようになっている。
【００３３】
取付台２３の後端部には、図１２および図１５に示すように、後方に開口する圧入凹部２７が設けられている。この圧入凹部２７は、取付台２３の後端面から前方に向けて略矩形状に凹んだ形態とされており、この圧入凹部２７に回動抑制部材４０が圧入されることで端子本体２０における端子接続部２２の後端に回動抑制部材４０が固定されている。
【００３４】
回動抑制部材４０は、図７から図１２に示すように、バッテリ本体Ｂ１の後側面Ｂ４に近接して配される位置決め部４１と、端子接続部２２における取付台２３の圧入凹部２７内に後方から圧入される一対の圧入部４２と、取付台２３の左右両側に配されるように取付台２３が内側に嵌合される一対の嵌合片４３と、一対の嵌合片４３内に嵌合された取付台２３を抜け止めする抜け止め片４４とを備えて構成されている。
【００３５】
位置決め部４１は、図１０、図１６から図１８に示すように、上下に延びる平板状に形成されており、左右の下端部に左右に張り出す一対の張り出し部４１Ａを有している。また、位置決め部４１は、図６から図９に示すように、端子本体２０のポスト嵌合部２１がバッテリポストＢ２に嵌合されると、バッテリ本体Ｂ１の後側面Ｂ４に近接して配されるようになっており、端子本体２０がバッテリポストＢ２を中心に回動変位しようとする際に、張り出し部４１Ａがバッテリ本体Ｂ１の後側面Ｂ４に当接することで、回動抑制部材４０が固定された端子本体２０が正規の位置から位置ずれすることを防ぐことができるようになっている。
【００３６】
一対の圧入部４２は、図１６に示すように、いずれも正面視略矩形状をなす角柱状に形成されており、位置決め部４１の前面から前方に突出している。各圧入部４２の外面には、図１６および図１７に示すように、前後に延びる圧入突起４２Ａが複数形成されており、図１２に示すように、この圧入突起４２Ａを押し潰しつつ一対の圧入部４２を圧入凹部２７内に圧入することで、取付台２３と圧入部４２とが一体に固定され、回動抑制部材４０が端子本体２０に固定されている。
【００３７】
一対の嵌合片４３は、図１６から図１８に示すように、位置決め部４１の左右方向両端部から前方に突出する形態をなしており、図７、図８および図１１に示すように、一対の嵌合片４３の間には、取付台２３の圧入凹部２７に一対の圧入部４２を後方から圧入する際に、取付台２３が嵌合されるようになっている。一対の嵌合片４３の前端部には、図１６から図１８に示すように、抜け止め片４４と係止可能な係止突起４３Ａが設けられており、各係止突起４３Ａは、一対の嵌合片４３において互いに反対側となる外側面に突出して設けられている。
【００３８】
抜け止め片４４は、図７、図８、図１９および図２０に示すように、左右に細長い形態をなしており、抜け止め片４４の後端には、図２０および図２１に示すように、後方に突出するがた詰め突起４５が複数設けられている。また、抜け止め片４４は、端子本体２０のポスト嵌合部２１と端子接続部２２との間に上方から嵌合可能とされており、抜け止め片４４が、ポスト嵌合部２１と端子接続部２２との間に嵌合されると、一対の嵌合片４３と位置決め部４１と共に、取付台２３を全周に亘って囲むようになっている。なお、抜け止め片４４がポスト嵌合部２１と端子接続部２２との間に嵌合される際に、がた詰め突起４５が取付台２３によって押し潰されることで、取付台２３が位置決め部４１と抜け止め片４４との間において前後にがたつかないようになっている。
【００３９】
抜け止め片４４の左右両端部には、図７から図９、図１６から図１８に示すように、一対の嵌合片４３の係止突起４３Ａと係止可能な一対の係止枠４６が設けられている。抜け止め片４４がポスト嵌合部２１と端子接続部２２との間に嵌合されると、係止突起４３Ａと係止枠４６とがそれぞれ係止することで、抜け止め片４４が一対の嵌合片４３に保持されるようになっている。つまり、一対の嵌合片４３間に取付台２３が嵌合された状態で、抜け止め片４４が一対の嵌合片４３に保持されると、一対の嵌合片４３間から取付台２３が前方へ離脱することが阻止され、端子本体２０から回動抑制部材４０が脱落することを防ぐことができるようになっている。
【００４０】
端子カバー８０は、図１から図６に示すように、バッテリ端子１１の端子本体２０から端子接続部２２に接続固定された電線端子７０までのほぼ全体を覆う覆い部８１の後端に電線Ｗに外嵌される電線装着部８２が設けられた形態とされており、電線装着部８２が電線端子７０から引き出された電線Ｗに外嵌されることで、端子カバー８０が脱落することが防止されるようになっている。
【００４１】
覆い部８１は、図６、図２４および図２５に示すように、前後に長く下方に開口するフード状に形成されており、覆い部８１の後端内側には、図５、図６、図２２および図２５に示すように、電線端子７０の繋ぎ部７３に係止する一対の係止片８３が設けられている。一対の係止片８３は、覆い部８１の天井面から左右に対向した形態で下方に延出された形態をなしており、一対の係止片８３の下端部には、互いに内側に向かって突出する係止爪８４が設けられている。一対の係止爪８４は、図６に示すように、覆い部８１によって端子本体２０および電線端子７０を覆うと、繋ぎ部７３よりも下方に配され、繋ぎ部７３の前後方向略中央部における左右両側縁と一対の係止爪８４とが上下に係止することで、端子本体２０および電線端子７０を覆い部８１によって覆った状態に保持するようになっている。
【００４２】
また、覆い部８１の後端内面８１Ａと電線端子７０の繋ぎ部７３との間には、図６に示すように、覆い部８１の後端部を下方に押圧した際に、覆い部８１の後端部が進入可能な進入空間Ｓが形成されている。この進入空間Ｓには、覆い部８１の係止片８３よりも後方の覆い部８１の後端部を上方から押圧すると、覆い部８１の後端部が下方に変位しつつ進入するようになっており、進入空間Ｓに覆い部の後端部が進入すると、一対の係止片８３と繋ぎ部７３とが係止した位置を支点に、覆い部８１の前端部が持ち上る。そして、前端部が持ち上がった覆い部８１を前方に開くように変位させることで、電線端子７０から端子カバー８０が取り外されるようになっている。
【００４３】
また、覆い部８１は、図２および図２４に示すように、回動抑制部材４０における一対の嵌合片４３よりも左右方向に僅かに大きい寸法に形成されており、覆い部８１の前端部における左右の側壁には左右に貫通する逃がし孔８５がそれぞれ形成されている。
【００４４】
逃がし孔８５は、図３および図２３に示すように、覆い部８１の前端下部に設けられており、覆い部８１の前端における上下方向略中央部から覆い部８１の下端部まで円弧状に繋がる開口縁を有する孔とされている。各逃がし孔８５は、端子本体２０および電線端子７０が覆い部８１によって覆われると、被締付片２６に組み付けられた締付ボルト６１の左右方向両側に配される。これにより、図２に示すように、締付ナット６５が締め込まれて左右のいずれか一方から突出した締付ボルト６１の軸部６３と覆い部８１とが干渉することを防ぐことができるようになっている。
【００４５】
覆い部８１の前壁８１Ｂにおける下端部には、図１、図３、図２２から図２５に示すように、指もしくは治具などを挿入して覆い部８１の前端部を上方に持ち上げるための引っ掛け孔８６が形成されている。引っ掛け孔８６は、前後に貫通しており、覆い部８１の全幅に亘って形成されている。したがって、引っ掛け孔８６は、左右に設けられた逃がし孔８５と連通しており、覆い部８１の前端部における下端部は、前および左右に開口した状態となっている。また、引っ掛け孔８６の上縁は、図３に示すように、覆い部８１が端子本体２０および電線端子７０を覆った状態では、バッテリ本体Ｂ１の上面より僅かに下方に位置しているものの、覆い部８１の後端部を下方に押圧して、覆い部８１の前端部を上方に持ち上げると、バッテリ本体Ｂ１の上面とほぼ同じ位置まで持ち上がるようになっている。つまり、覆い部８１の後端部を押圧し、覆い部８１の前端部が僅かに持ち上げられたところで、引っ掛け孔８６の上縁に指や治具を引っ掛け、覆い部８１の前端部を持ち上げることで、電線端子７０から端子カバー８０を容易に取り外すことができるようになっている。
【００４６】
さて、回動抑制部材４０における一対の嵌合片４３の後端部から位置決め部４１の後面までの位置には、図６から図１０、図１６から図１８に示すように、端子接続部２２における取付台２３の載置面２３Ａよりも電線端子７０側である上方に立ち上がる一対の連れ回り抑制片（「連れ回り抑制部」の一例）４７が形成されている。
【００４７】
一対の連れ回り抑制片４７は、左右に対向しつつ前後に延びた平板状に形成されており、取付台２３の載置面２３Ａに電線端子７０が載置されると、一対の連れ回り抑制片４７が電線端子７０の左右方向両側にそれぞれ配されるようになっている。詳細には、電線端子７０のボルト接続部７１の後端部から繋ぎ部７３の前端部までの左右方向両側に連れ回り抑制片４７がそれぞれ配される。つまり、一対の連れ回り抑制片４７は、電線端子７０の繋ぎ部７３において端子カバー８０の係止片８３が係止する部分よりも前方に配されており、電線端子７０がスタッドボルトＳＢを中心に回転する方向に僅かに変位すると、連れ回り抑制片４７に電線端子７０が当接するようになっている。
【００４８】
本実施形態は、以上のような構成であって、続いて、バッテリ端子ユニット１０を構成する手順を説明すると共に、その作用および効果について説明する。
まず、バッテリ端子１１の端子本体２０におけるポスト嵌合部２１の接触部２５をバッテリポストＢ２に上方から嵌合させ、締付ボルト６１に組み付けられた締付ナット６５を締め込む。
【００４９】
ところで、この締付過程において、バッテリポストＢ２に接触部２５が密着するまでは、バッテリポストＢ２にポスト嵌合部２１が固定されていないため、他の部材などが端子本体２０や回動抑制部材４０に当接すると、バッテリポストＢ２を中心に端子本体２０が回動変位し、バッテリ端子１１が正規の位置から位置ずれしてしまうことが懸念される。
ところが、本実施形態によると、バッテリ本体Ｂ１に対して回動抑制部材４０における位置決め部４１の張り出し部４１Ａが当接することで、端子本体２０を正規の位置に位置決めすることができる。これにより、締付ナット６５を締め付けるための締付工具（図示せず）とバッテリ本体Ｂ１とを干渉させることなく、締付ボルト６１に対して締付ナット６５を締付工具によって締め付けることができる。
【００５０】
そして、締付ボルト６１に対する締付ナット６５の締込が進むと、一対の被締付片２６が左右両側から挟み込まれてその間隔が狭まり、接触部２５が縮径する。これにより、バッテリポストＢ２の外周面にポスト嵌合部２１の接触部２５が密着し、図７から図９に示すように、端子本体２０がバッテリポストＢ２に接続固定される。
【００５１】
次に、電線Ｗに接続された電線端子７０のスタッドボルト挿通孔７１Ａにバッテリ端子１１の端子接続部２２におけるスタッドボルトＳＢを挿通して、端子接続部２２の取付台２３における載置面２３Ａに電線端子７０のボルト接続部７１を載置する。
取付台２３にボルト接続部７１が載置されたところで、スタッドボルトＳＢに対してナットＮを回転させて締め込み、ボルト接続部７１が取付台２３にボルト接続されることで、端子接続部２２に電線端子７０が接続固定される。
【００５２】
最後に、端子カバー８０の覆い部８１における一対の係止片８３と電線端子７０の繋ぎ部７３とを係止させ、覆い部８１によってバッテリ端子１１および電線端子７０を覆うことで、バッテリ端子ユニット１０が完成する。
【００５３】
ところで、端子接続部２２に電線端子７０を接続固定する過程において、バッテリ端子１１における端子接続部２２は位置決めされているものの、スタッドボルトＳＢにナットＮを締め付けて電線端子７０を端子接続部２２にボルト接続する際に、ナットＮの回転に伴って電線端子７０が連れ回りしてしまうことが懸念される。
【００５４】
ところが、本実施形態によると、電線端子７０におけるボルト接続部７１の後端部から繋ぎ部７３の前端部までの部分が回動抑制部材４０の一対の連れ回り抑制片４７間に配されるようにしてボルト接続部７１が端子接続部２２の取付台２３に載置されるから、ナットＮの締め付けに伴って、電線端子７０がスタッドボルトＳＢを中心に僅かに変位すると、電線端子７０の左右の側縁が連れ回り抑制片４７に当接し、電線端子７０が位置ずれすることを抑制することができるようになっている。
【００５５】
つまり、電線端子７０から引き出される電線Ｗが正規の方向とは異なる方向に引き出されることを防止することができる。また、本実施形態によると、回動抑制部材４０を樹脂成形する際に、一対の連れ回り抑制片４７を同時に形成することができるから、例えば、曲げ加工などによって端子本体の取付台に連れ回り抑制片を別途設けたり、バッテリ端子に係止可能な係止片を電線端子に別途設けたりする場合に比べて、曲げ加工などの作業工数を増加させることなく、連れ回り抑制片４７を容易に形成することができる。
【００５６】
また、端子カバー８０は、覆い部８１の一対の係止片８３が電線端子７０の繋ぎ部７３に係止する構成となっているため、仮に電線端子７０が大きく回動変位して正規の位置から大きく位置ずれすると、端子本体２０を端子カバー８０の覆い部８１によって覆うことができず、端子カバー８０を電線端子７０に係止させることができなくなってしまう嫌いがある。
【００５７】
しかしながら、本実施形態によると、電線端子７０が連れ回り抑制片４７によって正規の位置に固定されるから、端子カバー８０の覆い部８１によって端子本体２０を覆いつつ、端子カバー８０を電線端子７０に確実に固定することができる。また、本実施形態によると、図５、図６、図２２および図２５に示すように、覆い部８１の一対の係止片８３が電線端子７０の繋ぎ部７３に係止するから、例えば、端子カバーの係止片と係止する被係止部をバッテリ端子の回動抑制部材に別途設ける場合に比べて、バッテリ端子ユニット１０の製造コストを低減させることができる。
【００５８】
ところで、例えば、バッテリ端子の左右方向の両側縁に端子カバーの一対の係止片を係止させることで、端子カバーによってバッテリ端子を覆う手段が考えられる。このような場合には電線端子の位置ずれを気にすることなく端子カバーを固定することができる。しかしながら、バッテリ端子の両側縁に端子カバーの一対の係止片を係止させると、端子カバーの左右の寸法がバッテリ端子に係止片を係止させる分だけ、端子カバーの左右方向の寸法が大型化してしまう。
【００５９】
ところが、本実施形態によると、連れ回り抑制片４７によって正規の位置に位置決めされた電線端子７０に端子カバー８０を係止させているから、例えば、端子カバーの係止片をバッテリ端子の左右方向の両側縁に係止させる場合に比べて、端子カバー８０、ひいてはバッテリ端子ユニット１０の左右の寸法の小型化を図ることができる。つまり、連れ回り抑制片４７によって電線端子７０の位置ずれを抑制する手段は、電線Ｗが正規の方向とは異なる方向に引き出されることを防止するだけでなく、バッテリ端子ユニット１０の小型化を図る上で、非常に有効である。
【００６０】
以上のように、本実施形態によると、図６から図１０、図１６から図１８に示すように、回動抑制部材４０に取付台２３の載置面２３Ａよりも上方に立ち上がる一対の連れ回り抑制片４７を設け、この連れ回り抑制片４７に電線端子７０の側縁を当接させることで、ナットＮの回転につられて電線端子７０が正規の位置から位置ずれすることを抑制することができる。これにより、電線端子７０から引き出される電線Ｗが正規の方向とは異なる方向に配されることを防ぐことができる。
【００６１】
また、本実施形態によると、連れ回り抑制片４７によって正規の位置に位置決めされた電線端子７０に端子カバー８０を固定し、覆い部８１によって端子本体２０および電線端子７０を確実に覆うことができるから、本実施形態のように電線端子に固定される端子カバーを有するバッテリ端子ユニットの場合、連れ回り抑制片によって電線端子の位置ずれを抑制する手段は、非常に有効である。
【００６２】
また、本実施形態によると、正規の位置に位置決めされた電線端子７０に端子カバー８０を係止させているから、例えば、端子カバーの係止片をバッテリ端子の左右方向の両側縁と係止させる場合に比べて、バッテリ端子ユニット１０の左右方向の小型化を図る上で有効である。
【００６３】
ところで、電線端子７０に端子カバー８０の係止片８３を係止させることで、端子カバー８０の左右方向の小型化を図ると、締付ナット６５を締付ボルト６１に締め付けた際に、ポスト嵌合部２１から左右に突出する締付ボルト６１と覆い部８１とが干渉してしまうことが懸念される。
【００６４】
ところが、本実施形態によると、覆い部８１には、左右のいずれの側壁にも逃がし孔８５が形成されているから、左右のどちらから締付ボルト６１の軸部６３が突出しても、図２および図３に示すように、締付ボルト６１と覆い部８１とが干渉することを回避することができる。これにより、端子カバー８０、ひいてはバッテリ端子ユニット１０をさらに小型化することができる。
【００６５】
さらに、本実施形態によると、覆い部８１の前壁８１Ｂに指や治具を挿入して覆い部８１を持ち上がるための引っ掛け孔８６を設け、覆い部８１の後端部を押圧すると、その引っ掛け孔８６がバッテリ本体Ｂ１と端子カバー８０との間から現れるようになっているから、覆い部８１によって端子本体２０を他の部材から保護しつつ、引っ掛け孔８６に指や治具などを引っ掛け易くして端子カバー８０を容易に取り外すことができるようになっている。また、例えば、覆い部から突出する引っ掛け部を別途設ける場合に比べて、覆い部８１が大型化することを防ぐことができる。
【００６６】
＜他の実施形態＞
本明細書で開示される技術は上記記述及び図面によって説明した実施形態に限定されるものではなく、例えば次のような種々の態様も含まれる。
（１）上記実施形態では、連れ回り抑制片４７が回動抑制部材４０に設けられた構成とした。しかしながら、これに限らず、連れ回り抑制片が端子接続部に設けられていてもよい。
（２）上記実施形態では、端子接続部２２に合成樹脂製の回動抑制部材４０が圧入固定することで、端子接続部２２の後端に位置決め部４１を構成とした。しかしながら、これに限らず、位置決め部を端子接続部と同一の金属板材によって一体に形成してもよい。
（３）上記実施形態では、締付ボルト６１が一対の被締付片２６に対して左方から右方に向けて挿通された構成とした。しかしながら、これに限らず、バッテリにおけるバッテリ設置面の配置関係により、締付ボルト６１が一対の被締付片２６に対して右方から左方に向けて挿通されてもよい。
（４）上記実施形態では、電線端子における繋ぎ部の後端部が下方に屈曲され、電線接続部から電線が下方に引き出された構成とした。しかしながら、これに限らず、繋ぎ部の後端部が屈曲されず繋ぎ部の後方に電線接続部が配され、電線接続部から電線が後方に引き出される構成としてもよい。
【符号の説明】
【００６７】
１０：バッテリ端子ユニット
１１：バッテリ端子
２０：端子本体（バッテリ端子本体）
２１：ポスト嵌合部
２２：端子接続部
２３：取付台
２３Ａ：載置面
４０：回動抑制部材（バッテリ端子本体）
４１：位置決め部
４７：連れ回り抑制片（連れ回り抑制部）
６０：締付部材
６１：締付ボルト
６５：締付ナット
７０：電線端子
７１：ボルト接続部
７２：電線接続部
７３：繋ぎ部
８０：端子カバー
８１：覆い部
８３：係止片
８５：逃がし孔
８６：引っ掛け孔
Ｂ：バッテリ
Ｂ１：バッテリ本体
Ｂ２：バッテリポスト
Ｓ：進入空間
Ｗ：電線
【図１】
2016004660.tif 000003
【図２】
2016004660.tif 000004
【図３】
2016004660.tif 000005
【図４】
2016004660.tif 000006
【図５】
2016004660.tif 000007
【図６】
2016004660.tif 000008
【図７】
2016004660.tif 000009
【図８】
2016004660.tif 000010
【図９】
2016004660.tif 000011
【図１０】
2016004660.tif 000012
【図１１】
2016004660.tif 000013
【図１２】
2016004660.tif 000014
【図１３】
2016004660.tif 000015
【図１４】
2016004660.tif 000016
【図１５】
2016004660.tif 000017
【図１６】
2016004660.tif 000018
【図１７】
2016004660.tif 000019
【図１８】
2016004660.tif 000020
【図１９】
2016004660.tif 000021
【図２０】
2016004660.tif 000022
【図２１】
2016004660.tif 000023
【図２２】
2016004660.tif 000024
【図２３】
2016004660.tif 000025
【図２４】
2016004660.tif 000026
【図２５】
2016004660.tif 000027